(57)【要約】【課題】静電粉体塗装において、被塗装物に形成された凹部や隙間にも粉体塗料を適切に付着させることができる粉体塗料用ノズルを提供する。【解決手段】粉体塗料を噴射するための噴射口３０が設けられたノズル本体２０を備え、噴射口３０は、スリット状をなしかつ該スリットの長手方向の一部に他の部分よりも噴射量が多くなるように開口が拡大された拡大部３１を有する。【選択図】図３
2020006316.tif 000002
【特許請求の範囲】
【請求項１】
静電粉体塗装ガンのガン本体のガン先に装着される粉体塗料用ノズルであって、
粉体塗料を噴射するための噴射口が設けられたノズル本体を備え、
上記噴射口は、スリット形状をなしかつ該スリット形状の長手方向の一部に他の部分よりも噴射量が多くなるように開口が拡大された拡大部を有することを特徴とする粉体塗料用ノズル。
【請求項２】
請求項１に記載の粉体塗料用ノズルにおいて、
上記ノズル本体は、先端側から見て、円形状をなしており、
上記噴射口は、上記ノズル本体の先端側から見て、上記円形状の中心を通るように形成されており、
上記拡大部は、上記円形状の中心部分に設けられていることを特徴とする粉体塗料用ノズル。
【請求項３】
請求項１又は２に記載の粉体塗料用ノズルにおいて、
上記ノズル本体は、上記ガン先から離れるに連れて先細りするような円錐筒を有しており、
上記噴射口は、上記円錐筒の先端を通るように形成されており、
上記拡大部は、上記円錐筒の先端の位置に形成されていることを特徴とする粉体塗料用ノズル。
【請求項４】
請求項１〜３のいずれか１つに記載の粉体塗料用ノズルにおいて、
上記ガン本体には、コロナ放電により粉体塗料を帯電させる針電極が設けられており、
上記拡大部は、上記ノズル本体の先端側から見て、上記針電極の先端と重複する位置に設けられていることを特徴とする粉体塗料用ノズル。
【請求項５】
請求項４に記載の粉体塗料用ノズルにおいて、
上記ガン本体は、
筒状部材と、
上記筒状部材の筒内に筒軸に沿って延びるように形成されかつ粉体塗料を圧縮空気とともに搬送する搬送通路とを更に有し、
上記筒状部材の上記筒軸上に、上記搬送通路と上記針電極の先端とが位置しており、
上記拡大部は、上記筒状部材の上記筒軸上に位置するように設けられていることを特徴とする粉体塗料用ノズル。
【発明の詳細な説明】
【技術分野】
【０００１】
ここに開示された技術は、粉体塗料用ノズルに関する技術分野に属する。
【背景技術】
【０００２】
従来より、静電粉体塗装ガンのガン先に装着される粉体塗料用ノズルが知られている（例えば、特許文献１）。
【０００３】
特許文献１には、粉体塗料が吐出する吐出口を先端に有する外側ノズル本体と、該外側ノズル本体の内側に装着されかつ先端に吐出口を有する内側ノズル本体とを有し、外側ノズル本体の吐出口と内側ノズル本体の吐出口とを、空間を空けて重なるように配置し、外側ノズル本体の吐出口と内側ノズル本体の吐出口とをスリット形状とした粉体塗料用ノズルが開示されている。
【先行技術文献】
【特許文献】
【０００４】
【特許文献１】特許第５１６０２７３号公報
【発明の概要】
【発明が解決しようとする課題】
【０００５】
ところで、静電粉体塗装では、粉体塗料に静電気を帯びさせて、該静電引力により粉体塗料を被塗装物に付着させる。このとき、粉体塗料は、基本的には、静電粉体塗装ガン（以下、塗装ガンという）と被塗装物との間に形成される電気力線に沿って、塗装ガンから被塗装物に向かって進む。
【０００６】
図７は、被塗装物としての燃料パイプＦと該燃料パイプＦに取り付けられた被塗装物としてのブラケットＢとの接続部分を拡大して示している。塗装ガンと被塗装物との間に延びる電気力線Ｅは、ファラデーケージ効果により、エッジの部分には延びやすい一方で、凹部の部分には延びにくい。このため、図７に示すように、燃料パイプＦとブラケットＢとの接続部分近傍に形成される隙間には、電気力線Ｅが延びにくく、該隙間の部分には、粉体塗料Ｔが付着しにくくなる。
【０００７】
被塗装物に粉体塗料が付着せず、塗膜が形成されないと（塗装性が低いと）、意匠性が低下するばかりでなく、防錆性が低下してしまうおそれがある。
【０００８】
ここに開示された技術は、斯かる点に鑑みてなされたものであり、その目的とするところは、静電粉体塗装において、被塗装物に形成された凹部や隙間にも粉体塗料を適切に付着させることができる粉体塗料用ノズルを提供することにある。
【課題を解決するための手段】
【０００９】
上記課題を解決するために、ここに開示された技術の第１の態様は、静電粉体塗装ガンのガン本体のガン先に装着される粉体塗料用ノズルを対象として、粉体塗料を噴射するための噴射口が設けられたノズル本体を備え、上記噴射口は、スリット形状をなしかつ該スリット形状の長手方向の一部に他の部分よりも噴射量が多くなるように開口が拡大された拡大部を有することを特徴とする。
【００１０】
ここに開示された技術の第２の態様は、上記第１の態様において、上記ノズル本体は、先端側から見て、円形状をなしており、上記噴射口は、上記ノズル本体の先端側から見て、上記円形状の中心を通るように形成されており、上記拡大部は、上記円形状の中心部分に設けられていることを特徴とする。
【００１１】
ここに開示された技術の第３の態様は、上記第１又は第２の態様において、上記ノズル本体は、上記ガン先から離れるに連れて先細りするような円錐筒を有しており、上記噴射口は、上記円錐筒の先端を通るように形成されており、上記拡大部は、上記円錐筒の先端の位置に形成されていることを特徴とする。
【００１２】
ここに開示された技術の第４の態様は、上記第１〜第３の態様のいずれか１つにおいて、上記ガン本体には、コロナ放電により粉体塗料を帯電させる針電極が設けられており、上記拡大部は、上記ノズル本体の先端側から見て、上記針電極の先端と重複する位置に設けられていることを特徴とする。
【００１３】
ここに開示された技術の第５の態様は、上記第４の態様において、上記ガン本体は、筒状部材と、上記筒状部材の筒内に筒軸に沿って延びるように形成されかつ粉体塗料を圧縮空気とともに搬送する搬送通路とを更に有し、上記筒状部材の上記筒軸上に、上記搬送通路と上記針電極の先端とが位置しており、上記拡大部は、上記筒状部材の上記筒軸上に位置するように設けられていることを特徴とする。
【発明の効果】
【００１４】
ここに開示された技術の第１の態様によると、拡大部からは、噴射口の他の部分よりも多い噴射量で粉体塗料が噴射される。このため、拡大部からの噴射先を、被塗装物に形成された凹部や隙間に向けることにより、該凹部等に向かって、多くの粉体塗料が噴射される。これにより、電気力線が延びにくい凹部等にも粉体塗料を行き渡らせることができる。この結果、被塗装物に形成された凹部や隙間にも粉体塗料を適切に付着させることができる。
【００１５】
第２の態様によると、一般に、粉末塗料は圧縮空気によってノズル本体の噴射口から噴射されるが、該圧縮空気の流量は、ノズル本体をその先端側から見たときの周縁部分よりも中央部分の方が多くなる傾向がある。このため、拡大部が、ノズル本体を先端側から見たときの円形状の中心部分に設けられていれば、被塗装物の凹部等に向かって粉体塗料を噴射する際に、拡大部から噴射される粉体塗料に勢いを付けやすくなる。これにより、凹部等にも粉体塗料を行き渡らせやすくなり、被塗装物に形成された凹部や隙間に粉体塗料をより効果的に付着させることができる。
【００１６】
第３の態様によると、拡大部からの粉体塗料の噴射量を多くしやすくなる。また、拡大部からの粉体塗料の噴射先を、被塗装物に形成された凹部や隙間に向けやすくなる。これにより、被塗装物に形成された凹部や隙間に粉体塗料をより一層効果的に付着させることができる。
【００１７】
第４の態様によると、針電極の先端に異物が付着することによる塗装異常を抑制することができる。すなわち、針電極の先端への異物の付着は、主に、粉体塗料内に混入したほこり等が原因となって発生する。そして、塗装異常は、針電極の先端に付着したほこり等に粉体塗料が付着することで異物が成長して噴射口に到達し、該噴射口から噴射される粉体塗料を成長した異物がブロックすることで発生する。拡大部が形成されている部分は圧縮空気が通りやすく、圧縮空気の流量が多くなりやすい。このため、拡大部がノズル本体の先端側から見て、針電極の先端と重複する位置に設けられていれば、ほこり等が圧縮空気の勢いに流されやすくなって、ほこり等の付着自体が抑えられる。また、塗装異常が発生する程度に異物が成長する前に、圧縮空気の勢いによって異物を針電極から除去することもできる。これにより、塗装異常を抑制することができ、結果的に、被塗装物に形成された凹部や隙間に粉体塗料を一層効果的に付着させることができるようになる。
【００１８】
第５の態様によると、筒状部材の筒軸上に、搬送通路と、針電極の先端と、拡大部とが並ぶため、拡大部から噴射される粉体塗料に勢いを付けやすくなるとともに、針電極の先端への異物の付着をより効果的に抑制することができる。この結果、被塗装物に形成された凹部や隙間に粉体塗料を一層効果的に付着させることができるようになる。
【図面の簡単な説明】
【００１９】
【図１】本発明に係る粉体塗料用ノズルが適用された塗装装置の概略図である。
【図２】静電塗装ガンの先端部分の断面図である。
【図３】粉体塗料用ノズルの斜視図である。
【図４】静電塗装ガンに取り付けられた粉体塗料用ノズルを先端側から見た図である。
【図５】粉体塗料用ノズルの噴射パターンを示す図である。
【図６】本発明の粉体塗料用ノズルの変形例を示す図である。
【図７】従来の粉体塗料用ノズルを用いて塗装を行ったときの被塗装物に形成される塗装パターンを示す図である。
【発明を実施するための形態】
【００２０】
以下、例示的な実施形態について、図面を参照しながら詳細に説明する。
【００２１】
〈塗装装置の構成〉
図１は、本実施形態に係る粉体塗料用ノズルのノズル本体２０が適用された塗装装置１を概略的に示す。この塗装装置１は、車両用の燃料給油管１００に静電粉体塗装を行う塗装装置であり、詳しくは、コロナ式静電塗装を行う塗装装置である。
【００２２】
塗装装置１は、粉体塗料が充填された塗料タンク２を備える。塗装装置１は、塗料タンク２に充填された粉体塗料を取り出して分散させる分散装置３を備える。塗装装置１は、分散装置３と第１塗料通路４を介して接続されたインジェクタ５を備える。塗装装置１は、インジェクタ５と第２塗料通路６を介して接続された静電粉体塗装ガン１０（以下、塗装ガン１０という）を備える。また、塗装装置１は、燃料給油管１００を塗装可能な状態で支持するための支持装置（図示省略）を備える。この支持装置は、設置された台のようなものでもよく、上方から燃料給油管１００を吊すハンガーでもよい。
【００２３】
分散装置３は、筒状のケース内に複数の羽を有するスクリュー（図示省略）が配設された構成をなしている。該スクリューは、モータ軸７ａを介してモータ７と接続されている。モータ７が駆動して上記スクリューが回転することで、塗料タンク２内の粉体塗料が取り出されて、上記ケース内で分散されながら第１塗料通路４まで送られる。
【００２４】
インジェクタ５は、エア通路８ａを介してエアポンプ８と接続されている。第１塗料通路４を通過してインジェクタ５内に送られた粉体塗料は、エアポンプ８から送られる圧縮空気により、該圧縮空気と共に第２塗料通路６に送られる。
【００２５】
塗装ガン１０は、ガン本体１１と、該ガン本体１１のガン先に装着されるノズル本体２０とを有する。ガン本体１１は、高電圧発生装置１６と電気的に接続されている。第２塗料通路６を介してインジェクタ５から塗装ガン１０に送られた粉体塗料は、ノズル本体２０の噴射口３０（図２等参照）から燃料給油管１００に向かって噴射される。詳しくは後述するが、粉体塗料はガン本体１１内でマイナスに帯電されており、この帯電された粉体塗料が上記支持装置を介して接地された燃料給油管１００に噴射される。そして、粉体塗料と燃料給油管１００との間の静電引力により、粉体塗料が燃料給油管１００に付着するようになっている。
【００２６】
〈ガン本体の構成〉
塗装ガン１０のガン本体１１は、図２及び図４に示すように、円筒状の筒状部材１２と、筒状部材１２の筒軸方向の先端側に設けられかつ針電極１４を保持するための電極保持部１３と、粉体塗料を帯電させるための針電極１４とを有する。また、ガン本体１１は、ノズル本体２０を先端に装着するためのノズル装着部１５を有する。
【００２７】
筒状部材１２の筒内には、図２に示すように、粉体塗料及び圧縮空気が通る搬送通路１２ａが筒軸Ｘに沿って延びている。該搬送通路１２ａは、筒状部材１２における電極保持部１３の位置で拡大する形状となっている。このように、粉体塗料を噴射する直前の位置まで搬送通路１２ａを狭くすることにより、搬送される粉体塗料に勢いを付けやすくなり、搬送効率を向上させることができる。
【００２８】
電極保持部１３は、図２に示すように、筒状部材１２の径方向の外側に突出した突起１３ａを有する。詳細には示していないが、該突起１３ａは、電極保持部１３の周方向全体に等間隔に複数形成されている。電極保持部１３は、各突起１３ａが、筒状部材１２の筒内に形成された係合凹部１２ｂと係合することで、筒状部材１２の先端に取り付けられる。
【００２９】
針電極１４は、電極保持部１３の内側に一体的に取り付けられている。針電極１４は、図２に示すように、筒状部材１２の内壁から径方向の内側に向かって延びた後、上記筒軸方向に沿って延びている。より具体的には、針電極１４は、図４に示すように、筒状部材１２の内壁から上記径方向の中心まで延びた後、図２に示すように、筒状部材１２の筒軸Ｘに沿ってノズル本体２０の噴射口３０まで延びている。針電極１４は、高電圧発生装置１６に電気的に接続されており、該高電圧発生装置１６から印加される電圧によって、先端でコロナ放電を発生させる。搬送通路１２ａを通過した粉体塗料は、針電極１４のコロナ放電によりマイナスに帯電される。
【００３０】
ノズル装着部１５は、その先端部分が筒状部材１２の先端から突出するように、筒状部材１２の先端部分に嵌め込まれている。ノズル装着部１５の先端部分には、内側の部分に雌ねじが切られている。ノズル本体２０は、該ノズル本体２０の基端部２１に形成された雄ねじがノズル装着部１５の雌ねじと螺合することで、ガン本体１１の先端に装着される。
【００３１】
〈粉体塗料用ノズル〉
ノズル本体２０は、図２及び図３に示すように、円筒状の基端部２１と、該基端部２１と同軸の円錐筒状の先端部２２とを有する。このため、ノズル本体２０は、図４に示すように、先端側から見て円形をなしている。
【００３２】
基端部２１は、内側の部分に電極保持部１３の先端部分が係合する溝部２１ａが形成されている。溝部２１ａと電極保持部１３とを係合させた状態で、ノズル本体２０を上記筒軸方向に沿って移動させれば、基端部２１がノズル装着部１５に案内される。また、図２に示すように、溝部２１ａと電極保持部１３とが係合したときには、筒状部材１２とノズル本体２０とが同軸になるようになっている。ここから、電極保持部１３の先端部分は、ノズル本体２０を筒状部材１２と同軸になるように配置するとともに、該ノズル本体２０をノズル装着部１５に案内するガイド部を構成するようになっている。
【００３３】
ノズル本体２０の先端部２２は、ガン先から離れるに連れて先細りするような円錐筒状をなしている。先端部２２には、粉体塗料を噴射するための噴射口３０が形成されている。図３及び図４に示すように、噴射口３０はスリット状をなしている。噴射口３０は、ノズル本体２０の先端側から見て、該ノズル本体２０の円形状の中心を通って直径全体に延びるように形成されている。より詳しくは、噴射口３０は、先端部２２を構成する円錐筒の先端を通るように形成されている。
【００３４】
噴射口３０には、図３及び図４に示すように、長手方向の一部に他の部分よりも開口が拡大された拡大部３１が形成されている。具体的には、拡大部３１は、ノズル本体２０の円形状の中心部分に形成されている。より詳しくは、拡大部３１は、先端部２２を構成する円錐筒の先端部分に形成されている。上述したように、筒状部材１２とノズル本体２０とは同軸であるため、拡大部３１が、ノズル本体２０の円形状の中心部分に形成されていると、図４に示すように、ノズル本体２０の先端側から見て、拡大部３１と針電極１４の先端と重複する。すなわち、拡大部３１は、ノズル本体２０の先端側から見て（筒状部材１２の筒軸方向から見て）、針電極１４の先端と重複する位置に設けられている。
【００３５】
また、図２に示すように、拡大部３１は、筒状部材１２の筒軸Ｘ上に位置するように設けられている。つまり、拡大部３１は、図４に示すように、ノズル本体２０の先端側から見て（筒状部材１２の筒軸方向から見て）、筒状部材１２内の搬送通路１２ａと重複する位置に設けられている。これにより、図２に示すように、筒状部材１２の筒軸Ｘ上に、搬送通路１２ａと、針電極１４の先端と、該拡大部３１とが並ぶようになっている。
【００３６】
〈粉体塗料の噴射〉
次に、本実施形態に係る粉体塗料用ノズルを用いて、粉体塗料を噴射したときの噴射状態について説明する。
【００３７】
図５に示すように、本実施形態のノズル本体２０が装着された塗装ガン１０により粉体塗料を噴射した場合、先端部２２が円錐状をなしかつ噴射口３０がスリット状をなしていることにより、噴射口３０から噴射された粉体塗料は扇状に広がる。一方で、噴射口３０には拡大部３１が設けられているため、拡大部３１からは、粉体塗料が噴射されやすくなっており、他の部分よりも多くの粉体塗料が噴射される。特に、本実施形態では、拡大部３１は、筒状部材１２の筒軸方向から見て、搬送通路１２ａと重複する位置、すなわち、圧縮空気の勢いが低下しにくい位置に設けられているため、多くの粉体塗料が噴射されるようになる。つまり、この拡大部３１は、他の部分よりも噴射量が多くなるように開口が拡大された拡大部である。
【００３８】
ここで、被塗装物としての、車両の燃料給油管１００には、一般に、該燃料給油管１００を車体に取り付けるためのブラケット１０１（図１参照）が接合されている。このとき、燃料給油管１００とブラケット１０１との接合部分の近傍には、僅かな隙間が形成される。この隙間には、ファラデーケージ効果により電気力線が延びにくい。このため、静電粉体塗装では、上記隙間に粉体塗料が付着しにくく、塗膜が形成されにくいという問題がある。
【００３９】
これに対して、本実施形態のノズル本体２０によると、拡大部３１からは、噴射口３０の他の部分よりも多い噴射量で粉体塗料が噴射される。このため、拡大部３１からの噴射先を、燃料給油管１００とブラケット１０１との間の隙間に向けることにより、該隙間に向かって、多くの粉体塗料が噴射される。これにより、電気力線が延びにくい上記隙間にも粉体塗料を行き渡らせることができる。この結果、上記隙間にも粉体塗料を適切に付着させることができる。
【００４０】
また、本実施形態のノズル本体２０では、拡大部３１が、ノズル本体２０の円形状の中心部分に形成されている。本実施形態のように、圧縮空気によってノズル本体２０の噴射口３０から粉体塗料を噴射する場合、該圧縮空気の流量は、ノズル本体２０をその先端側から見たときの周縁部分よりも中央部分の方が多くなる傾向がある。本実施形態のように、ノズル本体２０が、径方向の中央に搬送通路１２ａを有する筒状部材１２と同軸に配置いる場合には、特に、上記の傾向が顕著になる。このため、拡大部３１が、ノズル本体２０を先端側から見たときの円形状の中心部分に設けられていれば、拡大部３１から噴射される粉体塗料に勢いを付けやすくなる。これにより、燃料給油管１００とブラケット１０１との間の隙間にも粉体塗料を行き渡らせやすくなり、当該隙間にも粉体塗料を適切に付着させることができる。
【００４１】
さらに、本実施形態のノズル本体２０では、噴射口３０が設けられた先端部２２が円錐筒状をなしており、拡大部３１は該円錐筒の先端部分に形成されている。これにより、ノズル本体２０内で、粉体塗料が拡大部３１に向かって進むような流れが形成され、拡大部３１からの粉体塗料の噴射量を多くしやすくなる。また、拡大部３１からの粉体塗料の噴射先を、燃料給油管１００とブラケット１０１との間の隙間に向けやすくなる。当該隙間にも粉体塗料を効果的に付着させることができる。
【００４２】
ここで、本実施形態のように、針電極１４を用いるタイプの塗装ガン１０では、針電極１４の先端に異物が付着することによる塗装異常、特に、塗装パターンの割れが生じる可能性がある。針電極１４の先端への異物の付着は、主に、粉体塗料内に混入したほこり等が原因となって発生する。そして、塗装異常は、針電極１４の先端に付着したほこり等に粉体塗料が付着することで異物が成長して噴射口３０に到達し、該噴射口３０から噴射される粉体塗料を成長した異物がブロックすることで発生する。
【００４３】
本実施形態では、拡大部３１を、ノズル本体２０の先端側から見て、針電極１４の先端と重複する位置に設けることで、上記の塗装異常を抑制している。すなわち、拡大部３１が形成されている部分は圧縮空気が通りやすく、圧縮空気の流量が多くなりやすい。このため、拡大部３１がノズル本体２０の先端側から見て、針電極１４の先端と重複する位置に設けられていれば、ほこり等が圧縮空気の勢いに流されやすくなって、ほこり等の付着自体が抑えられる。また、塗装異常が発生する程度に異物が成長する前に、圧縮空気の勢いによって異物を針電極１４から除去することもできる。これにより、塗装異常を抑制することができる。
【００４４】
特に、本実施形態のように、拡大部３１が、ノズル本体２０の先端側から見て、筒状部材１２内の搬送通路１２ａとも重複する位置に設けられていれば、圧縮空気が特に通りやすくなって、圧縮空気の流量が多くなる。このため、塗装異常をより効果的に抑制することができる。
【００４５】
〈変形例〉
図６は、本実施形態の変形例を示し、この変形例では、上述の実施形態に対して、先端部２２の形状を変更したものである。すなわち、この変形例では、先端部２２の形状を中空の半球状にしている。この変形例でも、噴射口３０の拡大部３１は、ノズル本体２０を先端側から見たときの円形状における中心部分に形成されている。より詳しくは、先端部２２を形成する半球における先端側の頂部に拡大部３１が形成されている。また、詳細な図示は省略しているが、この変形例でも、拡大部３１は、筒状部材１２の筒軸上に位置するように設けられている。
【００４６】
この変形例でも、拡大部３１からは、噴射口３０の他の部分よりも多い噴射量で粉体塗料が噴射されるため、拡大部３１からの噴射先を、燃料給油管１００とブラケット１０１との間の隙間に向けることにより、該隙間に向かって、多くの粉体塗料が噴射される。これにより、電気力線が延びにくい上記隙間にも粉体塗料を行き渡らせることができる。この結果、上記隙間にも粉体塗料を適切に付着させることができる。
【００４７】
ここに開示された技術は、上述の実施形態に限られるものではなく、請求の範囲の主旨を逸脱しない範囲で代用が可能である。
【００４８】
例えば、上述の実施形態では、噴射口３０の拡大部３１は、ノズル本体２０を先端側から見たときの円形状における中心部分に形成されていたが、これに限らず、噴射口３０の長手方向の一部に拡大部３１が形成されてさえいれば、拡大部３１は、必ずしも上記中心部分に形成されている必要はない。ただし、拡大部３１から噴射される粉体塗料に勢いを付けやすくする観点からは、拡大部３１は、上記中心部分又は該中心部分に近い位置に位置していることが好ましい。
【００４９】
また、上述の実施形態では、被塗装物として燃料給油管１００を対象したが、燃料給油管１００以外の被塗装物を対象にしてもよい。
【００５０】
上述の実施形態は単なる例示に過ぎず、本開示の範囲を限定的に解釈してはならない。本開示の範囲は請求の範囲によって定義され、請求の範囲の均等範囲に属する変形や変更は、全て本開示の範囲内のものである。
【産業上の利用可能性】
【００５１】
ここに開示された技術は、静電粉体塗装ガンのガン本体のガン先に装着される粉体塗料用ノズルとして有用である。
【符号の説明】
【００５２】
１０    静電粉体塗装ガン
１１    ガン本体
１２    筒状部材
１２ａ    搬送通路
１４    針電極
２０    ノズル本体
３０    噴射口
３１    拡大部
Ｘ      ケースの筒軸
【図１】
2020006316.tif 000003
【図２】
2020006316.tif 000004
【図３】
2020006316.tif 000005
【図４】
2020006316.tif 000006
【図５】
2020006316.tif 000007
【図６】
2020006316.tif 000008
【図７】
2020006316.tif 000009